(57)【要約】【課題】紙幣挿入口から紙幣識別装置へのアクセス通路を遮断して紙幣の盗難を防止可能な自動販売機を提供する。【解決手段】本体キャビネットの前面を開閉する外扉２に紙幣挿入口１１が設けられ、前記外扉２の背面に前記紙幣挿入口１１から挿入された紙幣を識別する紙幣識別装置１４を備えた自動販売機において、紙幣挿入口１１と紙幣識別装置１４の紙幣ガイド口部１４１との間に、常時は前記紙幣挿入口１１と紙幣識別装置１４の紙幣ガイド口部１４１とを連通し、前記紙幣挿入口１１に加わる外力に基づいて前記紙幣挿入口１１から紙幣識別装置１４の紙幣ガイド口部１４１へのアクセス通路を遮断する防盗部材１６を設け、紙幣挿入口１１にバールなどを突き刺して紙幣挿入口１１の間口を広げるという行為が行われた際、紙幣挿入口１１を防盗部材１６により閉鎖して紙幣挿入口１１から紙幣識別装置１４の紙幣ガイド口部１４１へのアクセス通路を遮断する。【選択図】図２
2008152407.tif 000002
【特許請求の範囲】
【請求項１】
本体キャビネットの前面を開閉する外扉に紙幣挿入口が設けられ、前記外扉の背面に前記紙幣挿入口から挿入された紙幣を識別する紙幣識別装置を備えた自動販売機において、前記紙幣挿入口と紙幣識別装置の紙幣ガイド口部との間に、常時は前記紙幣挿入口と紙幣識別装置の紙幣ガイド口部とを連通し、前記紙幣挿入口に加わる外力に基づいて前記紙幣挿入口から紙幣ガイド口部へのアクセス通路を遮断する防盗手段を設けたことを特徴とする自動販売機。
【請求項２】
請求項１に記載の自動販売機において、前記防盗手段が前記紙幣挿入口と紙幣識別装置の紙幣搬送通路との間に、前記紙幣挿入口と紙幣識別装置の紙幣搬送通路とを連通する連通孔が形成された防盗部材を配置し、前記防盗部材を外扉の構造部材に係止するとともに外力により当該係止が解除された際に自重により落下して前記紙幣挿入口から紙幣ガイド口部へのアクセス通路を閉鎖することを特徴とする自動販売機。
【請求項３】
請求項２に記載の自動販売機において、防盗部材が逆Ｌ字状をなし、自重により落下した際にＬ字状の脚片が紙幣識別装置に引っ掛かるようにしたことを特徴とする自動販売機。
【請求項４】
請求項１に記載の自動販売機において、前記防盗手段が紙幣挿入口に設置された圧力検出センサーと、前記紙幣挿入口と紙幣識別装置の紙幣搬送通路との間のスペースにスライド自在に設けられ、常時は前記紙幣挿入口と紙幣識別装置の紙幣搬送通路とを連通する防盗部材と、前記圧力検出センサーの出力に基づいて前記防盗部材をスライド移動させて前記紙幣挿入口から紙幣ガイド口部へのアクセス通路を閉鎖する駆動装置とからなることを特徴とする自動販売機。
【請求項５】
請求項４に記載の自動販売機において、前記圧力検出センサーが圧電センサーであることを特徴とする自動販売機。
【請求項６】
請求項４に記載の自動販売機において、前記駆動装置がソレノイドであり、防盗部材との間にコイルばねを介在してなることを特徴とする自動販売機。
【請求項７】
請求項１に記載の自動販売機において、防盗部材の常時の待機位置からの移動を検知する検出手段を有し、当該検出手段からの検出信号により警報手段を作動させることを特徴とする自動販売機。
【発明の詳細な説明】
【技術分野】
【０００１】
この発明は、紙幣挿入口から挿入された紙幣の真偽を識別する紙幣識別装置を搭載した自動販売機に係り、特に紙幣挿入口の間口を広げて紙幣識別装置に収納された紙幣を盗むという行為を抑制するようにした自動販売機に関する。
【背景技術】
【０００２】
この種の自動販売機は前面が開口された庫内に商品を収納する本体キャビネットと、この本体キャビネットの前面に開閉自在に取付けられた外扉とを有し、当該外扉の背面に紙幣の真偽を識別する紙幣識別装置が取付けられている。前記外扉の前面には紙幣挿入口が露出しており、この紙幣挿入口から挿入された紙幣は紙幣識別装置の紙幣ガイド口部を介して紙幣搬送機構部により取り込まれる。紙幣を取り込んだ紙幣識別装置は紙幣搬送通路の途上に配置された磁気センサーや光学センサーからなる識別センサーにより紙幣の特徴部分を走査する。取り込んだ紙幣が前記識別センサーの位置を通過（当該識別センサーによる走査が完了）すると紙幣搬送機構部を一旦停止して当該紙幣を一時保留する。前記識別センサーからの検出信号は波形整形されてＣＰＵからなる紙幣識別部に入力される。紙幣識別部は前記識別センサーからの入力信号と基準となる設定値とを比較して真偽の判別を行う。紙幣識別部による真偽判別結果が「真」の場合には紙幣搬送機構部を正転させて当該紙幣を紙幣収納ボックスに導き、当該紙幣収納ボックスに積み重ねて収納する。一方、紙幣識別部による真偽判別結果が「偽」の場合には紙幣搬送機構部を逆転させて当該紙幣を紙幣挿入口に返却する。また、前記一時保留中に返却レバーが操作されて返却指令が入力すると紙幣搬送機構部を逆転させて一時保留していた紙幣を紙幣挿入口に返却する。
【０００３】
前記紙幣識別装置の紙幣収納ボックスに積み重ねて収納された紙幣は盗難防止のため自動販売機の所有者により定期的に回収される。しかしながら、紙幣識別装置を搭載した自動販売機にあっては紙幣収納ボックスに収納された紙幣を狙って自動販売機を破壊する行為が後を絶たない。この紙幣を狙った犯罪行為の一つとして外扉の前面に露出した紙幣挿入口にバールなどを突き刺して紙幣挿入口の間口を広げ、そこから覗く紙幣識別装置を破壊して紙幣を盗むというものである。
【０００４】
そこで、紙幣挿入口にバールなどを突き刺して抉っても紙幣挿入口の間口が広がらないようにした自動販売機が知られている（例えば、特許文献１参照）。この公知の自動販売機においては、外扉に露出した紙幣挿入口と紙幣識別装置の紙幣ガイド口部との間に補強部材を介在させている。前記補強部材には紙幣挿入口と紙幣ガイド口部とが連通するように、紙幣が通過可能な挿通孔が形成されている。この公知の自動販売機によれば紙幣挿入口にバールなどを突き刺して抉っても補強部材の挿通孔が広がることがなく、紙幣挿入口の間口を広げて紙幣を盗むという行為を抑制することができる。
【０００５】
【特許文献１】特開２００５−２５８６９９号公報
【発明の開示】
【発明が解決しようとする課題】
【０００６】
前述した公知の自動販売機において補強部材が紙幣挿入口と紙幣識別装置の紙幣ガイド口部との間に介在している間はバールなどにより紙幣挿入口の間口を広げるという行為を抑制できる点で優れている。しかしながら、補強部材により紙幣挿入口の間口は広がらないもののバールなどを突き刺す手掛りとなる紙幣挿入口は依然として開口したままであることからバールなどを突き刺して抉る行為自体を阻止することはできない。このため、バールなどにより抉る行為が繰り返して行われると前記補強部材が脱落してしまうおそれがある。このように補強部材が脱落すると最早補強部材の役目を失ってしまうことから、当該補強部材が脱落するのを防止せねばならない。このように補強部材の脱落を防止するためには補強部材を強固に固着する必要がある。このため補強部材が堅固であることは勿論のこと、補強部材が固着される相手側の部材も堅固でなければならない。従って、公知の自動販売機においては補強部材の追加に留まらず、補強部材が固着される相手側の部材の材料や厚さについて設計変更しなければならずコストアップするという課題を有する。また、紙幣挿入口にバールなどを突き刺して抉るという行為に対して補強部材を用いて対処していることから、盗難が発生する都度、補強部材の厚さや材料、締結方法の見直しを行わねばならない。
【０００７】
本発明は上記の点に鑑みなされたものであり、その目的は前記課題を解決し、紙幣挿入口から紙幣識別装置へのアクセス通路を遮断して紙幣の盗難を防止可能な自動販売機を提供することにある。
【課題を解決するための手段】
【０００８】
上記目的を達成するために請求項１に係る発明は、本体キャビネットの前面を開閉する外扉に紙幣挿入口が設けられ、前記外扉の背面に前記紙幣挿入口から挿入された紙幣を識別する紙幣識別装置を備えた自動販売機において、前記紙幣挿入口と紙幣識別装置の紙幣ガイド口部との間に、常時は前記紙幣挿入口と紙幣識別装置の紙幣ガイド口部とを連通し、前記紙幣挿入口に加わる外力に基づいて前記紙幣挿入口から紙幣ガイド口部へのアクセス通路を遮断する防盗手段を設けたことを特徴とする。
【０００９】
また、請求項２に係る発明は請求項１の自動販売機において、前記防盗手段が前記紙幣挿入口と紙幣識別装置の紙幣ガイド口部との間に、前記紙幣挿入口と紙幣識別装置の紙幣ガイド口部とを連通する連通孔が形成された防盗部材を配置し、前記防盗部材を外扉の構造部材に係止するとともに外力により当該係止が解除された際に自重により落下して前記紙幣挿入口を閉鎖することを特徴とする。
【００１０】
また、請求項３に係る発明は請求項２の自動販売機において、防盗部材が逆Ｌ字状をなし、自重により落下した際にＬ字状の脚片が紙幣識別装置に引っ掛かるようにしたことを特徴とする。
【００１１】
また、請求項４に係る発明は請求項１の自動販売機において、前記防盗手段が紙幣挿入口に設置された圧力検出センサーと、前記紙幣挿入口と紙幣識別装置の紙幣ガイド口部との間のスペースにスライド自在に設けられ、常時は前記紙幣挿入口と紙幣識別装置の紙幣ガイド口部とを連通する防盗部材と、前記圧力検出センサーの出力に基づいて前記防盗部材をスライド移動させて前記紙幣挿入口から紙幣ガイド口部へのアクセス通路を閉鎖する駆動装置とからなることを特徴とする。
【００１２】
また、請求項５に係る発明は請求項４の自動販売機において、前記圧力検出センサーが圧電センサーであることを特徴とする。
【００１３】
また、請求項６に係る発明は請求項４の自動販売機において、前記駆動装置がソレノイドであり、防盗部材との間にコイルばねを介在してなることを特徴とする。
【００１４】
また、請求項７に係る発明は請求項１の自動販売機において、防盗部材の常時の待機位置からの移動を検知する検出手段を有し、当該検出手段からの検出信号により警報手段を作動させることを特徴とする。
【発明の効果】
【００１５】
請求項１に係る自動販売機によれば、紙幣挿入口と紙幣識別装置の紙幣ガイド口部との間に、常時は前記紙幣挿入口と紙幣識別装置の紙幣ガイド口部とを連通し、前記紙幣挿入口に加わる外力に基づいて前記紙幣挿入口から紙幣ガイド口部へのアクセス通路を遮断する防盗手段を設けたことにより、紙幣挿入口にバールなどを突き刺して紙幣挿入口の間口を広げるという行為が行われると紙幣挿入口から紙幣ガイド口部へのアクセス通路を防盗手段により遮断する。これにより紙幣挿入口にバールなどを突き刺す手掛りがなくなるので紙幣を盗むという行為を抑制することができる。このように、紙幣挿入口の間口を広げて紙幣を盗むという行為に対し、従来のように紙幣挿入口を補強するという対処の仕方から紙幣識別装置へのアクセス通路を遮断して紙幣を盗むという手掛りをなくすことによって悪意を喪失させることができる。
【００１６】
また、請求項２に係る自動販売機によれば、防盗手段として前記紙幣挿入口と紙幣識別装置の紙幣ガイド口部との間に、前記紙幣挿入口と紙幣識別装置の紙幣ガイド口部とを連通する連通孔が形成された防盗部材を配置し、前記防盗部材を外扉の構造部材に係止するとともに外力により当該係止が解除された際に自重により落下して前記紙幣挿入口を閉鎖することにより、防盗部材の自重により紙幣識別装置へのアクセス通路を遮断することができるので、コストを大幅に増加することなく紙幣を盗むという行為を抑制することができる。
また、請求項３に係る自動販売機によれば、簡単な構成により防盗部材を、前記紙幣挿入口を閉鎖する位置に保持することができる。
【００１７】
また、請求項４に係る自動販売機によれば、防盗手段を紙幣挿入口に設置された圧力検出センサーと、前記紙幣挿入口と紙幣識別装置の紙幣ガイド口部との間のスペースにスライド自在に設けられ、常時は前記紙幣挿入口と紙幣識別装置の紙幣ガイド口部とを連通する防盗部材と、前記圧力検出センサーの出力に基づいて前記防盗部材をスライド移動させる駆動装置とにより構成することにより、バールなどにより紙幣挿入口の間口を広げるという行為が行われるのと略同時に圧力検出センサーが動作して紙幣識別装置へのアクセス通路を遮断する。従って、早い段階で紙幣挿入口の間口を広げるという行為を抑制することが可能となり破壊領域を最小限に止めることができる。
また、請求項５に係る自動販売機によれば、圧力検出センサーを圧電センサーとすることにより、通常の紙幣の挿入には感知せず、バールなどが紙幣挿入口に突き刺された場合のみこれを感知することができるので、信頼性の向上を図ることが可能となる。
【００１８】
また、請求項６に係る自動販売機によれば、駆動装置をソレノイドとし、防盗部材との間にコイルばねを介在したことにより、紙幣挿入口に突き刺されたバールなどに防盗部材が当接して移動が阻止された場合にはコイルばねが伸びてソレノイドのプランジャーが完全に吸引される。したがって、ソレノイドの吸引が不完全な状態に維持されることなく、これによりソレノイドが発熱して焼損したり唸り音を発するのを防止することができるとともにバールなどが引き抜かれると直ちに紙幣識別装置へのアクセス通路を遮断することが可能となる。
【００１９】
また、請求項７に係る自動販売機によれば、防盗部材の常時の待機位置からの移動を検知する検出手段を有し、当該検出手段からの検出信号により警報手段を作動させることにより、紙幣鑑別装置へのアクセス通路を遮断すると同時に警報を発することにより、紙幣挿入口にバールなどを突き刺して紙幣を盗むという行為の抑制をより確実なものとすることができる。
【発明を実施するための最良の形態】
【００２０】
以下、本発明の実施の形態を図１〜図４に示す実施例に基づいて説明する。図１は本発明が対象とする缶入り飲料，ペットボトル入り飲料などを販売する自動販売機の正面図、図２は紙幣識別装置の取付け状態を示す側面図、図３は図２の要部の分解斜視図、図４は防盗部材の動作状態を示す側面図である。
図１において、１は断熱材で囲まれた庫内に缶飲料などの商品を収容した本体キャビネットであり、本体キャビネット１の庫内は断熱仕切壁により左右方向に複数の商品収納室に区分されている。前記各商品収納室には、缶入り飲料、ペットボトル入り飲料などの商品を収納するとともにその下端に商品選択ボタンの操作により商品を搬出する商品払出機構を有する商品収納ラックが収設され、また、各商品収納室の下部には、当該各商品収納室を冷却もしくは加熱して商品収納ラックに収納した商品を冷蔵・温蔵状態に保存する冷却／加熱ユニットが配設されている。２は本体キャビネット１の前面にヒンジ２ａにより開閉自在に装着された外扉である。この外扉２の前面の上部域は透明板３で覆われたディスプレイ室４として形成されている。このディスプレイ室４には商品収納ラックに収納した商品に対応した複数の商品見本６を左右に一列に並べて載置したディスプレイ台５が上下方向に３段取付けられている。前記透明板３には各ディスプレイ台５と対峙する位置に商品選択ボタンユニット７が設けられ、当該商品選択ボタンユニット７はディスプレイ台５に載置された各商品見本６に対応して左右に一列に並べて設けた複数の商品選択ボタン７aを有している。この商品選択ボタン７aには不図示の売り切れランプや販売可能ランプが内蔵されている。
【００２１】
前記外扉２におけるディスプレイ室４下部の右端側には接客部８が設けられ、この接客部８には硬貨投入口９、紙幣挿入口化粧枠１０、釣銭返却口１１、商品取出口１２、返却レバー１３および表示部１４が組付けられている。また、外扉２には接客部８に並設してシリンダー錠付きのロック装置１５が設けられている。このロック装置１５は前記本体キャビネット１の前面を閉塞するように外扉２閉じた状態において施錠することにより外扉２が閉位置から開かないようにロックする。なお、図１において、Ｐは広告パネルを表示する広告パネル表示部である。
【００２２】
次に、前記紙幣挿入口化粧枠１０および紙幣挿入口化粧枠１０に対応して外扉２の背面に取付けられた紙幣識別装置について図２を用いて説明する。図２は紙幣識別装置の取付け状態を示す側面図であり、外扉２に形成された矩形状の開口２１から前記紙幣挿入口化粧枠１０の前面が露出している。前記紙幣挿入口化粧枠１０はプラスチックなどの合成樹脂からなり、左右両端に形成した係止爪（不図示）を、後述する取付金具１５に係合させることにより取付金具１５の前面側に固着されている。前記紙幣挿入口化粧枠１０には紙幣挿入口１１が形成され、また、前記紙幣挿入口化粧枠１０には紙幣挿入口１１を覆う紙幣挿入口扉１２が設けられている。この紙幣挿入口扉１２はその上端に形成した軸が紙幣挿入口化粧枠１０に軸支されてなり、常時は紙幣挿入口１１を覆うように閉じており、紙幣挿入時にその下端を持って前記軸を中心として手前に回動させることにより紙幣挿入口１１が露出するように構成されている。
【００２３】
図２において、１４は前記紙幣挿入口化粧枠１０に対応して外扉２の背面に取付けられた紙幣識別装置である。この紙幣識別装置１４は紙幣ガイド口部１４１、紙幣識別部１４２、紙幣収納ボックス１４３などからなる。前記紙幣識別装置１４は紙幣ガイド口部１４１が前方を向くように取付金具１５を介して外扉２の背面にねじにより固着されている。前記紙幣ガイド口部１４１は一点鎖線で示した紙幣搬送通路の前端を形成するものである。前記紙幣識別装置１４を取付ける取付金具１５は薄板鋼板からなり、図３に示すように、一面（背面）が解放するとともに紙幣識別装置１４を収容可能な大きさの箱形に形成されている。この取付金具１５は外扉２の背面に固着した補強金具２２にねじにより取付けられている。この取付金具１５が請求項２における外扉の構造部材をなしている。また、前記取付金具１５には前記紙幣挿入口化粧枠１０の紙幣挿入口１１と対応する位置に挿通孔１５１（図３参照）が形成されている。ここで、図３における１３，１３は前記紙幣挿入口化粧枠１０の左右両端に形成された係止爪であり、当該係止爪１３，１３を取付金具１５の係止爪挿通孔１５２を通して取付金具１５の段差部１５３に形成した鉤部（不図示）に引っ掛けることにより前記紙幣挿入口化粧枠１０が取付金具１５に固着されるものである。そして、この状態で前記挿通孔１５１と紙幣挿入口１１とが一致するように定められている。
【００２４】
また、前記取付部材１５と紙幣識別装置１４との間には防盗部材（防盗手段）１６が介在されている。この防盗部材１６は厚さが３〜６ｍｍ程度の鋼板からなる板状部材であり、一端側をＬ字状に折り曲げて脚片１６３が形成されている。また、前記防盗部材１６には紙幣挿入口化粧枠１０の紙幣挿入口１１と紙幣識別装置１４の紙幣ガイド口部１４１とを連通する連通孔１６１が形成されている（図３参照）。そして、この防盗部材１６には取付金具１５に設けた左右一対の凹部１５４に嵌り込む一対のダボ１６２が形成されており、当該一対のダボ１６２を取付金具１５のそれぞれの凹部１５４に嵌め込んだ後、前記防盗部材１６を取付金具１５にねじにより係止することにより、防盗部材１６の連通孔１６１と取付金具１５に形成した挿通孔１５１とが一致するようになっている。なお、防盗部材１６の連通孔１６１の幅は挿通孔１５１の幅よりも小さく形成されており、取付金具１５の前方側から見たときに連通孔１６１の上下の縁が挿通孔１５１より覗くように取付けられており、バールなどが突き刺された場合にバールが連通孔１６１に接触するように定められている。
なお、図２において１７は防盗部材１６の位置を検出する検出センサー（検出手段）であり、防盗部材１６の待機位置（図２の状態）からの移動を検出して検出信号を出力するものである。
【００２５】
次に、紙幣識別装置１４の外扉２への取付けについて説明する。まず、取付金具１５の背面側から防盗部材１６を取付金具１５内に挿入する。この場合、防盗部材１６のダボ１６２を取付金具１５の凹部１５４に嵌め込んで位置決めし、この状態で防盗部材１６を取付金具１５にねじ止めして待機位置に保持する。次に、紙幣識別装置１４を取付部材１５の所定位置にねじ止めして紙幣識別装置のアセンブリーを形成する。この紙幣識別装置のアセンブリーは自動販売機の組立ラインに投入され、取付金具１５を外扉２における補強金具２２にねじ止めすることにより紙幣識別装置１４が外扉２の背面に一体的に固着される。この後、外扉２の前面側から開口２１を介して紙幣挿入口化粧枠１０の係止爪１３を取付金具１５の係止爪挿通孔１５２に挿入し、当該係止爪１３を取付金具１５の段差部１５３に形成した鉤部に引っ掛ける。これにより紙幣挿入口化粧枠１０が外扉２（取付金具１５）に一体的に固着される。
【００２６】
前述したように組立られた自動販売機に紙幣を挿入、すなわち、外扉２の前面から紙幣挿入口化粧枠１０の紙幣挿入口扉１２を前方に回動させて紙幣挿入口１１を露出させ、紙幣挿入口化粧枠１０の傾斜したガイド面に沿って紙幣投入口１１に紙幣を挿入すると、取付金具１５の挿通孔１５１および防盗部材１６の連通孔１６１を介して紙幣識別装置１４の紙幣ガイド口部１４１に導かれる。紙幣識別装置１４の紙幣ガイド口部１４１に設けた紙幣検出センサー（不図示）により紙幣が検出されると紙幣搬送機構部が作動して紙幣を取り込む。そして、紙幣を取り込んだ紙幣識別装置は従来装置と同様に、紙幣搬送通路（図２に一点鎖線で示す）の途上に配置された磁気センサーや光学センサーなどからなる識別センサーにより紙幣の特徴部分を走査する。紙幣が前記識別センサーの位置を通過（当該識別センサーによる走査が完了）すると紙幣搬送機構部を停止して当該紙幣を一時保留する。前記識別センサーからの検出信号は波形整形されてＣＰＵからなる紙幣識別部１４２に入力される。紙幣識別部１４２は前記識別センサーからの入力信号と基準となる設定値とを比較して真偽の判別を行う。紙幣識別部１４２による真偽判別結果が「真」の場合には紙幣搬送機構部を正転させて当該紙幣を紙幣収納ボックス１４３に導き、当該紙幣収納ボックス１４３に積み重ねて収納する。一方、紙幣識別部１４２による真偽判別結果が「偽」の場合には紙幣搬送機構部を逆転させて当該紙幣を紙幣挿入口１１に返却する。また、前記一時保留中に返却レバーが操作されて返却指令が入力すると紙幣搬送機構部を逆転させて一時保留していた紙幣を紙幣挿入口１１に返却する。
【００２７】
かかる自動販売機の紙幣挿入口１１にバールなどが突き刺されて抉られた場合、防盗部材１６の連通孔１６１の縁にバールが当接して防盗部材１６に外力が加えられる。この外力により防盗部材１６を取付部材１５に係止したねじが破断または脱落すると防盗部材１６はねじによる係止が解かれ、バールが引き抜かれた際にその自重によって下降する（図４）。この防盗部材１６の下降距離は防盗部材１６が待機位置（図２の状態）に保持されている場合における脚片１６３と、防盗部材１６が下降してその脚片１６３が紙幣識別装置１４に当接した際（図４の状態）における脚片１６３との間の長さ（例えばＬ寸法）となる。このように防盗部材１６が下降すると防盗部材１６の連通孔１６１も下降して紙幣挿入口化粧枠１０の紙幣投入口１１と紙幣識別装置１４の紙幣ガイド口部１４１との間の連通位置（アクセス通路）から外れる。ここで、取付金具１５の挿通孔１５１の幅（例えばＬ１）に対して下降距離（Ｌ寸法）がＬ１＜Ｌを満足する寸法に定められており、これにより防盗部材１６が下降すると取付金具１５の挿通孔１５１が閉塞される。つまり、紙幣挿入口化粧枠１０の紙幣投入口１１から紙幣識別装置１４の紙幣ガイド口部１４１へのアクセス通路を連通状態に保っていた防盗部材１６が下降することにより紙幣挿入口１１から紙幣識別装置１４の紙幣ガイド口部１４１へのアクセス通路を遮断する。そして、前記防盗部材１６の移動は検出センサー１７によって検出され、この検出センサー１７からの検出信号に基づいて警報ブザー（警報手段）を作動させて警報する。このように、この自動販売機においては紙幣挿入口１１の間口を広げて紙幣を盗むという行為に対し、紙幣挿入口１１を防盗部材１６で閉鎖、すなわち、紙幣挿入口１１から紙幣識別装置１４へのアクセス通路を遮断することにより紙幣識別装置１４が破壊されることを防止できる。また、紙幣挿入口１１を防盗部材で閉鎖することによってバールを突き刺す手掛りをなくすとともに警報を発することにより紙幣を盗むという悪意を喪失させることができる。
【００２８】
次に、本発明の異なる実施の形態を図５に示す実施例に基づいて説明する。図５は本発明の実施の形態に係る自動販売機の全体構成を示すブロック図である。なお、自動販売機の構造は図１〜図４に示した実施の形態と同一であり、構造部材については図１〜図４を参照することとする。
図に示すように、この自動販売機は、硬貨識別部５１、紙幣識別部５２、商品払出機構部５３、冷温制御部５４、蛍光灯制御部５５、リモコンボックスの設定用キーボード５６、圧電センサー５７、本体制御部５８、ソレノイド５９からなる。なお、７ａは図１に示したディスプレイ室４の透明板３に取付けられた商品選択ボタンユニット７の商品選択ボタンである。
【００２９】
ここで、前記硬貨識別部５１は、硬貨投入口９（図１参照）に投入された硬貨の真偽並びに金種を識別して正貨の場合に金種信号を本体制御部５８に送信するものであり、紙幣識別部５２は図２に示した紙幣識別装置１４における紙幣識別部１４２をなすものであり、挿入された紙幣の真偽を判別して真偽の識別信号を本体制御部５８に送信するものであり、商品払出機構部５３は、商品選択ボタン７ａにより選択された商品を庫内の商品収納ラックから一個ずつ搬出する機構である。冷温制御部５４は、自動販売機の庫内に収納した商品の温度が所定の温度となるように温度制御する制御部であり、蛍光灯制御部５５は、蛍光灯の点灯・消灯を制御する制御部である。設定用キーボード５６は、表示部１４（図１参照）に表示する商品価格などの各種設定をおこなう入力デバイスである。 
【００３０】
また、圧電センサー５７は紙幣挿入口１１（図２参照）の間口を広げようとする外力を検知するセンサーである。この圧電センサー５７は図１〜図４に示した実施の形態における紙幣挿入口化粧枠１０の紙幣挿入口１１の縁部に埋設されており、紙幣挿入口１１の間口を広げようとする外力を検出して本体制御部５８に送信する。この圧電センサー５７が請求項４の圧力検出センサーを構成する。前記ソレノイド５９は圧電センサー５７からの信号に基づいて本体制御部５８から発信される励磁・釈放信号により動作するものであり、請求項４に係る駆動装置を構成する。そして、この実施の形態においても図１〜図４に示した実施の形態における防盗部材１６と同様な防盗部材（不図示）を備えているものであり、この防盗部材は（図２，図３に示した）取付部材１５と紙幣識別装置１４との間に配備され、紙幣の通過可能な連通孔が形成されている。そして、前記ソレノイド５９はコイルばねを介して前記防盗部材に連結されている。
【００３１】
また、本体制御部５８は自動販売機の全体制御を司る制御部であり、特にこの実施の形態では、圧電センサー５７とソレノイド５９との間で情報の授受を行い、紙幣挿入口１１の間口を広げて紙幣を盗むという行為を圧電センサー５７からの情報に基づいて認識し、この認識結果をソレノイド５９に伝達して防盗部材を待機位置から移動させて紙幣挿入口１１から紙幣識別装置１４の紙幣ガイド口部１４１へのアクセス通路を遮断する制御を行う。この実施の形態においては圧電センサー５７、防盗部材およびソレノイド５９が防盗手段を構成する。
【００３２】
かかる自動販売機の紙幣挿入口１１にバールなどが突き刺されて抉られた場合、紙幣挿入口１１の縁部にはバールが当接して圧力が加えられる。紙幣挿入口１１の縁部に加えられた圧力はその縁部に埋設された圧電センサー５７により検出される。つまり、圧電センサー５７には外力に応じた電気信号が発生する。この圧電センサー５７に発生した電気信号は検出信号として本体制御部５８に送信される。前記検出信号に基づいて本体制御部５８は紙幣投入口１１を介して紙幣識別装置１４へのアクセスが行われていることを認識して直ちにソレノイド５９に励磁信号を送信する。本体制御部５８からの励磁信号によりソレノイド５９は通電されて待機位置にある防盗部材を移動させる。この防盗部材の移動により紙幣挿入口１１が閉鎖、すなわち、紙幣挿入口１１から紙幣識別装置１４の紙幣ガイド口部１４１へのアクセス通路が遮断される。従って、この自動販売機においては紙幣挿入口１１の間口を広げて紙幣を盗むという行為に対し、紙幣挿入口１１から紙幣識別装置１４へのアクセス通路を遮断することにより紙幣識別装置１４が破壊されることを防止できる。また、紙幣挿入口１１を防盗部材で閉鎖することによってバールを突き刺す手掛りをなくすとともに警報を発することにより紙幣を盗むという悪意を喪失させることができる。なお、ソレノイド５９と防盗部材との間にはコイルばねが介在していることにより、ソレノイド５９が通電された際、紙幣挿入口１１にバールが突き刺されたままで（防盗部材が移動できないままで）ある場合にもコイルばねが伸びることによってソレノイド５９はプランジャーを完全に吸引して保持状態となる。従って、ソレノイド５９はプランジャーが途中位置で停止した状態で吸引を継続した場合に発生するソレノイド５９の発熱などの不具合を防止できる。
【００３３】
なお、この実施の形態では図１〜図４に示した実施の形態における防盗部材１６の移動を検知する検出センサー１７は削除されている。これは、前記検出センサー１７の検出信号の代用として圧電センサー５７からの検出信号若しくは本体制御部５８からソレノイド５９に送信される励磁信号を用いているからである。すなわち、この実施の形態では圧電センサー５７からの検出信号若しくは本体制御部５８からソレノイド５９に送信される励磁信号に基づいて警報ブザー（警報手段）を作動させて警報するように構成されている。従って、この実施の形態では検出センサー１７を削減することができる。
【００３４】
前述したとおり本発明によれば、紙幣挿入口１１と紙幣識別装置１４の紙幣ガイド口部１４１との間に、常時は前記紙幣挿入口１１と紙幣識別装置１４の紙幣ガイド口部１４１とを連通し、前記紙幣挿入口１１に加わる外力に基づいて前記紙幣挿入口１１から紙幣識別装置１４の紙幣ガイド口部１４１へのアクセス通路を遮断する防盗手段を設けたことにより、紙幣挿入口１１にバールなどを突き刺して紙幣挿入口１１の間口を広げるという行為が行われると紙幣挿入口１１から紙幣識別装置１４の紙幣ガイド口部１４１へのアクセス通路を防盗手段により遮断して紙幣挿入口１１にバールなどを突き刺す手掛りをなくして紙幣を盗むという行為を抑制することができる。
【００３５】
なお、前述したそれぞれの実施の形態では紙幣識別装置を搭載した自動販売機について説明したが、本発明は紙幣に限らず、各種カードを取扱う機器にも適用することができるものである。
【図面の簡単な説明】
【００３６】
【図１】本発明の実施の形態に係る自動販売機の正面図である。
【図２】本発明の実施の形態に係る自動販売機の主要部である紙幣識別装置の取付け状態を示す側面図である。
【図３】図２の各構成部材を分解して示す分解斜視図である。
【図４】防盗部材の動作を説明するための紙幣識別装置の取付け状態を示した側面図である。
【図５】本発明の異なる実施の形態を示す自動販売機の全体構成を示すブロック図である。
【符号の説明】
【００３７】
１    本体キャビネット
２    外扉
１０    紙幣挿入口化粧枠
１１    紙幣挿入口
１２    紙幣挿入口扉
１４    紙幣識別装置
１５    取付金具
１６    防盗部材（防盗手段）
１７    検出センサー（検出手段）
５７    圧電センサー（圧力検出センサー）
５９    ソレノイド（駆動装置）
１４１    紙幣ガイド口部
１５１    挿通孔
１６１    連通孔
【図１】
2008152407.tif 000003
【図２】
2008152407.tif 000004
【図３】
2008152407.tif 000005
【図４】
2008152407.tif 000006
【図５】
2008152407.tif 000007